(57)【要約】【課題】映像表示制御方法、表示装置及びコンピュータ読出可能な記憶媒体を提供する。【解決手段】本発明の実施例による映像表示制御方法は、表示装置において再生映像の表示方式を設定するために用いられ、前記再生映像は第一の映像内容と少なくとも第二の映像内容との組み合わせである。この映像表示制御方法では、映像表示制御のオプションを有するオンスクリーンディスプレイを提供し、使用者がオンスクリーンディスプレイを開いて映像表示制御のオプションを選択し、そして、映像表示制御のオプションに対応するパラメータのパラメータ値を入力し、第一の映像内容と第二の映像内容の表示方式を調整する。これにより、表示装置において映像表示を直接制御することを実現することができる。【選択図】図３
2009053664.tif 000002
【特許請求の範囲】
【請求項１】
表示装置において、第一の映像内容と少なくとも第二の映像内容との組み合わせからなる再生映像の表示方式を設定する映像表示制御方法であって、
オンスクリーンディスプレイの映像表示制御のオプションを提供するステップと、
前記オンスクリーンディスプレイを起動して前記映像表示制御のオプションを選択するステップと、
前記映像表示制御のオプションに対応する少なくとも一つのパラメータのパラメータ値を入力し、前記第一の映像内容と前記第二の映像内容を調整するステップと、
を含む、
映像表示制御方法。
【請求項２】
コンピュータシステム、映像編集システムまたはデジタル媒体再生システムにより前記第一の映像内容と前記第二の映像内容を製作するステップをさらに含む、
請求項１に記載の映像表示制御方法。
【請求項３】
前記第二の映像内容は、字幕であり、
プレゼンテーション・ソフトウェアまたはアニメーション製作ソフトウェアにより、前記字幕の表示効果を編集するステップをさらに含む、
請求項１に記載の映像表示制御方法。
【請求項４】
前記パラメータ値は、前記オンスクリーンディスプレイの次のページに入力される、
請求項１に記載の映像表示制御方法。
【請求項５】
前記パラメータは、表示画面の分割タイプ、各分割画面の内容のソース、第二の映像内容の表示位置、第二の映像内容の入力端、第二の映像内容の表示の検出方式、第二の映像内容のページ換えの表示効果及び第二の映像内容の透明度より構成されるグループから選択される、
請求項１に記載の映像表示制御方法。
【請求項６】
前記パラメータは、表示画面の分割タイプ、各分割画面の内容のソース、第二の映像内容の表示位置、第二の映像内容の入力端、第二の映像内容の表示の検出方式、第二の映像内容のページ換えの表示効果及び第二の映像内容を含む、
請求項１に記載の映像表示制御方法。
【請求項７】
映像表示を制御可能な表示装置であって、
再生映像の表示方式を設定するための映像表示制御のオプションを提供し、前記再生映像が第一の映像内容と少なくとも第二の映像内容との組合せからなるオンスクリーンディスプレイを含む、
表示装置。
【請求項８】
前記オンスクリーンディスプレイには、前記映像表示制御のオプションに対応する少なくとも一つの設定する関連パラメータがさらに表示され、
前記少なくとも一つの設定する関連パラメータは、前記設定する関連パラメータのパラメータ値を入力するために用いられる、
請求項７に記載の表示装置。
【請求項９】
前記オンスクリーンディスプレイには、前記映像表示制御のオプションに対応する少なくとも一つの設定する関連パラメータがさらに表示され、
前記オンスクリーンディスプレイの次のページは、前記少なくとも一つの設定する関連パラメータのパラメータ値を入力するために用いられる、
請求項７に記載の表示装置。
【請求項１０】
前記設定する関連パラメータは、表示画面の分割タイプの設定、各分割画面の内容のソースの設定、第一の映像内容の表示位置の設定、第二の映像内容の表示位置の設定、第二の映像内容の入力端の設定及び第二の映像内容の表示効果の切り替え設定のうち少なく一つを含む、
請求項８または９に記載の表示装置。
【請求項１１】
前記設定する関連パラメータは、表示画面の分割タイプの設定、各分割画面の内容のソースの設定、第一の映像内容の表示位置の設定、第二の映像内容の表示位置の設定、第二の映像内容の入力端の設定及び第二の映像内容の表示効果の切り替え設定を含む、
請求項８または９に記載の表示装置。
【請求項１２】
表示装置にインストールされる映像表示制御用オンスクリーンディスプレイのソフトウェアを記憶し、前記ソフトウェアが再生映像の表示制御を行い、前記再生映像が第一の映像内容と少なくとも第二の映像内容との組合せからなるコンピュータ読出可能な記憶媒体であって、
前記ソフトウェアは、コンピュータに、
前記オンスクリーンディスプレイにオンスクリーンメニューを表示するステップ、
を実行させ、
前記オンスクリーンメニューは、選択されるための映像表示制御のオプションを提供し、
前記映像表示制御のオプションは、前記第一の映像内容と前記第二の映像内容を調整するために用いられ、前記映像表示制御のオプションに対応する少なくとも一つのパラメータ値の設定欄を有する、
コンピュータ読出可能な記憶媒体。
【請求項１３】
前記オンスクリーンメニューの次のページは、入力のために用いられ、前記映像表示制御のオプションに対応する前記少なくとも一つのパラメータ値の設定欄をさらに提供する、
請求項１２に記載のコンピュータ読出可能な記憶媒体。
【請求項１４】
前記パラメータ値の設定欄は、表示画面の分割タイプの設定、各分割画面の内容のソースの設定、第一の映像内容の表示位置の設定、第二の映像内容の表示位置の設定、第二の映像内容の入力端の設定及び第二の映像内容の表示効果の切り替え設定のうち少なく一つを含む、
請求項１１または１２に記載のコンピュータ読出可能な記憶媒体。
【請求項１５】
前記パラメータ値の設定欄は、表示画面の分割タイプの設定、各分割画面の内容のソースの設定、第一の映像内容の表示位置の設定、第二の映像内容の表示位置の設定、第二の映像内容の入力端の設定及び第二の映像内容の表示特殊効果の切り替え設定を含む、
請求項１１または１２に記載のコンピュータ読出可能な記憶媒体。
【発明の詳細な説明】
【技術分野】
【０００１】
本発明は、映像表示に関し、特に、オンスクリーンディスプレイ（Ｏｎ  Ｓｃｒｅｅｎ  Ｄｉｓｐｌａｙ：ＯＳＤ）により映像表示の制御を達成する映像表示制御方法、表示装置及び記憶媒体に関する。
【背景技術】
【０００２】
一般的に言えば、メーカーや商社などが広告を通じて商品を宣伝しようとするときに、通常、広告代理店に広告内容の製作を委託しまたは自分でそれを製作した後に、広告代理店に広告内容の放送を委託するので、広告内容が実際に一般大衆に見られる前に、通常、その広告内容を製作・再生するための電子広告表示システムを製作し、放送しなければならず、且つ、システム操作者または管理者が順序決め・調整または制御・管理を行うための関連する管理ソフトウェアの画面が必要となる。
【０００３】
図１を参照する。図１は、従来の電子広告表示システムの一実施例を示すものである。図１に示すように、電子広告表示システムは、ユーザ端コンピュータ１１、サーバ端コンピュータ１２、デジタル電子看板箱（Ｄｉｇｉｔａｌ  Ｓｉｇｎａｇｅ  ｂｏｘ）１３及び表示装置１４１と１４２を含む。サーバ端コンピュータ１２は、ユーザ端コンピュータ１１で製作された映像内容１６１と注釈文字の内容１６２を受信し、それらを組み合わせて表示装置１４１と１４２に表示されるための再生映像とし、且つ、管理ソフトウェアの画面１５により広告内容のソース１５１、広告内容の表示特殊効果１５２、文字のフォント１５３、文字のサイズ１５４及び文字のカラー１５５などの属性を設定する。デジタル電子看板箱１３の内容は、前記広告内容により更新されることができ、広告内容は、単一の表示装置１４１または１４２（例えば、コンピュータスクリーン、テレビ、車両またはエレベーターなどの公衆の場所における広告放送機の表示装置）、或いは、複数の表示装置１４１または１４２からなる公衆の放送システムに出力して表示されることができる。よって、広告代理店は、通常、戸外に設置されるテレビスクリーンと営業場所に掛かる表示装置により広告の宣伝を助ける。しかし、従来の方法は、ソフトウェアとハードウェアの構築と運営のコストを増加させる他に、システム操作者の訓練とシステム管理者の雇用に関する人事のコストも増加させ、且つ、操作上で、管理ソフトウェアの画面１５により広告内容など副画面の各パラメータを間接設定するので、ビジネスチャンスをリアルタイムに把握することにとって、とても不利且つ不便である。
【０００４】
図２を参照する。図２は、従来の表示装置のオンスクリーンディスプレイ（Ｏｎ  Ｓｃｒｅｅｎ  Ｄｉｓｐｌａｙ：ＯＳＤ）を示す図である。図２に示すように、表示装置２のオンスクリーンディスプレイ２０は、輝度調整のオプション２１１、コントラスト調整のオプション２１２、スクリーン調整のオプション２１３、ＯＳＤ調製のオプション２１４及び他の調整のオプション２１５を含む。使用者が何れのオプションを選択するときに、対応する次のオプションとパラメータの入力区域が続けて表示され入力を行うために用いられ、例えば、ＯＳＤ調製のオプション２１４を選択するときに、オンスクリーンディスプレイ２０が画面を更新し、そして、ＯＳＤ水平位置調整のオプション２２１、ＯＳＤ垂直位置調整のオプション２２２及びＯＳＤ言語設定のオプション２２３などの次のオプションが表示され設定を行うために用いられ、関連するパラメータ値の入力が遠隔制御器など入力装置でパラメータメニューの内容を選択することにより行われる。しかし、表示装置２のオンスクリーンディスプレイ２０が設定を行うための各種のオプションを有するものの、映像内容の表示を直接制御できるメカニズムが依然としてないので、広告など副画面の内容を直接設定と表示する需要を満足することができない。
【０００５】
故に、従来の電子広告表示システムは、インタネットを通じて外部の制御ソフトウェアの画面により、使用者が副画面の内容のソース、特殊効果、文字のフォント、文字のサイズ、カラーなどのパラメータを遠隔に設定し、且つ、外部に配置される媒体・サーバシステム（Ｓｅｒｖｅｒ  Ｂｏｘ／Ｍｅｄｉａ  Ｂｏｘ）またはデジタル電子看板箱などのハードウェアと組み合わせて内容の記憶、更新及びダウンロード・再生を完成できるように用いられるものである。しかし、この従来の方法は、ソフトウェアとハードウェアの構築と運営のコストを増加させるほかに、システム操作者の訓練とシステム管理者の雇用に関する人事のコストも増加させてしまう。
【発明の開示】
【発明が解決しようとする課題】
【０００６】
本発明の目的は、オンスクリーンディスプレイにより映像表示の制御を行うことができる映像表示制御方法、表示装置、及び、映像表示の制御を行うソフトウェアを記憶するコンピュータ読出可能な記憶媒体を提供することにある。
【課題を解決するための手段】
【０００７】
本発明の他の目的と利点は、本発明に開示された技術の特徴により更に知られることができる。
【０００８】
前述した一又は部分又は全部の目的あるいは他の目的を達成するために、本発明の一実施例による映像表示制御方法は、表示装置で再生映像の表示方式を直接設定するために用いられ、再生映像は、第一の映像内容と第二の映像内容の組合せである。この実施例において、映像表示制御方法は、まず、オンスクリーンディスプレイにおける映像表示制御のオプションを提供し、次に、オンスクリーンディスプレイを開いて映像表示制御のオプションを選択し、その後、映像表示制御のオプションに対応するパラメータのパラメータ値、例えば、個別の表示位置、ページ換えの特殊効果または表示時の透明度などを入力し、第一の映像内容と第二の映像内容の表示を調整することを含む。
【０００９】
また、本発明の一実施例は、映像表示の制御が可能な表示装置を提供する。この実施例において、表示装置は、オンスクリーンディスプレイを有し、オンスクリーンディスプレイは、再生映像の表示方式を設定するための映像表示制御のオプションをさらに含む。再生映像は、第一の映像内容と第二の映像内容の組合せであるので、オンスクリーンディスプレイの映像表示制御のオプションを操作し、且つ、各映像内容の表示位置と特殊効果に関するパラメータ値を設定することにより、映像表示の制御をより直接と簡単にさせ、且つ、外部ソフトウェアとハードウェア装置の構築コストを低くさせることができる。
【００１０】
さらに、本発明の一実施例は、映像表示の制御を行うための表示画面のソフトウェアを記憶するコンピュータ読出可能な記憶媒体を提供する。映像表示の制御を行うための表示画面のソフトウェアは、表示装置にインストールされた後に、使用者に、再生映像の表示制御を行う機能を提供し、再生映像は、第一の映像内容と第二の映像内容の組合せである。さらに言えば、映像表示の制御を行うためのソフトウェアは、オンスクリーンメニューを表示させ、そのうちの映像表示制御のオプションが使用者により選択されることができ、また、使用者によりアドバンス設定を行うための対応するパラメータ値の設定欄も有し、これにより、第一の映像内容と第二の映像内容の表示を調整する。
【発明の効果】
【００１１】
本発明は、表示装置のオンスクリーンディスプレイにより映像表示の制御パラメータのオプションを直接設定する構造を採用するので、従来技術のような、広告の特殊効果を達成するために外部媒体・サーバシステムとデジタル電子看板箱を使用することによるハードウェアのコスト、ハードウェアと表示装置との間に必要なソフトウェアのコスト、及び、システム操作者の訓練とシステム管理者の雇用などによる人事コストを無くすことができ、また、表示装置で表示方式を直接操作と設定することにより、間接且つ遠隔の操作を採用する従来の方法に潜在している機動性不良及びリアルタイム応答性不良という問題を改善することができるのみならず、使用者または小さな広告代理店にリアルタイム的且つ直観的な操作経験と商業利益を持たせることもできる。
【発明を実施するための最良の形態】
【００１２】
次に、添付した図面を参照しながら、本発明の好適な実施形態を詳細に説明し、これにより、本発明の前述の技術と他の技術、特徴及び利点が、より容易に理解できる。
【００１３】
なお、次の各実施例の説明は、添付した図面を参照して行われたものであり、本発明の実施可能な特定の実施例を例として示すために用いられる。本発明に言及した方向の用語、例えば、上、下、前、後、左、右などは、添付した図面の方向を参考するためのみである。よって、以下に使用された方向の用語は、説明のために用いられ、本発明を制限するためのものでない。
【００１４】
図３を参照する。図３は、本発明による映像表示制御方法の一実施例におけるステップのフローチャート図である。この映像表示制御方法は、表示装置で再生映像の表示方式を設定するために用いられるものである。この実施例において、ステップＳ３０では、コンピュータシステム、映像編集システムまたはデジタル媒体再生システムにより第一の映像内容と第二の映像内容を製作して本実施例の再生映像とする。第一の映像内容は、動的な映像または静的な画像であっても良く、第二の映像内容は、第一の映像内容を説明するための字幕、スライドショー（Ｓｌｉｄｅ  Ｓｈｏｗ）、テキストティッカー（Ｔｅｘｔ  Ｔｉｃｋｅｒ）、或いは、第一の映像内容と異なる他の動的な映像または静的な画像であっても良く、その数量と種類が１個又は１種類に限らない。次に、ステップＳ３１では、マイクロソフト社のパワーポイント（Ｍｉｃｒｏｓｏｆｔ  Ｐｏｗｅｒｐｏｉｎｔ）或いはフラッシュ（Ｆｌａｓｈ）などのプレゼンテーション又はアニメーション製作ソフトウェアにより第二の映像内容に必要な特殊効果を作成する。表示装置で再生映像の表示方法と結果を設定と調整するために、本実施例の映像表示制御方法は、続いて、ステップＳ３２でオンスクリーンディスプレイに設けられる映像表示制御のオプションを提供し、使用者は、ステップＳ３３でオンスクリーンディスプレイを開いて映像表示制御のオプションを選択することができ、その後、表示装置は、映像表示制御のオプションに関するパラメータのパラメータ値を入力するための入力画面と区域を表示する。例えば、オンスクリーンディスプレイ又は映像表示制御のオプションを表示する同一の画面にパラメータ値の入力区域を提供し、或いは、表示画面をオンスクリーンディスプレイの次のページに更新し、そして、使用者に、遠隔制御器又はタッチ制御などの入力方式で所要なパラメータ値を選択又は入力するように指示する。よって、使用者は、ステップＳ３４で需要に応じて一つ又は複数のパラメータのパラメータ値を入力することにより、第一の映像内容と第二の映像内容の表示と調整を完成させることができる。
【００１５】
また、パラメータの種類は、実際の実施に応じて、表示画面の分割タイプ、各分割画面の内容のソース、第二の映像内容の表示位置、第二の映像内容の入力端、第二の映像内容の表示の検出方式、第二の映像内容のページ換えの特殊効果及び第二の映像内容の透明度のうち一部又は全部を含んでも良いので、使用者は、ステップＳ３４で所要のパラメータ値を入力することができる。例えば、使用者は、ステップＳ３４で表示画面の分割タイプ、例えば、ピクチャー・イン・ピクチャーＰＩＰ（Ｐｉｃｔｕｒｅ  ｉｎ  Ｐｉｃｔｕｒｅ）、ピクチャー・バイ・ピクチャーＰＢＰ（Ｐｉｃｔｕｒｅ  ｂｙ  Ｐｉｃｔｕｒｅ）又はピクチャー・オン・ピクチャーＰＯＰ（Ｐｉｃｔｕｒｅ  ｏｎ  Ｐｉｃｔｕｒｅ）などを設定しても良い。また、各分割画面の内容のソースを設定しても良く、例えば、主の画面に第一の映像内容を表示させ、子の画面に第二の映像内容を表示させても良い。また、第二の映像内容が表示装置の表示画面に表示される位置、例えば、上、下、左又は右のうち一箇所又は複数の箇所を設定しても良い。また、第二の映像内容の入力端をＶＧＡ、ＤＶＩ又はＨＤＭＩなどに設定しても良い。また、第二の映像内容の表示の検出方式を設定しても良く、即ち、オフ（Ｏｆｆ）又はオート（Ａｕｔｏ）に設定して第二の映像内容の表示の需要と状態を検出しても良い。また、第二の映像内容のページ換えの特殊効果を設定しても良く、例えば、フェードイン・フェードアウトの特殊効果又は一般的な左から右への特殊効果に設定してページを変えても良い。また、実際の応用と要求に応じて、第二の映像内容の透明度を０ないし１００％のうち任意の値または範囲に設定しても良く、これにより、再生映像が表示装置の画面に表示されるときに、画面の分割方式をＰＯＰに設定する場合、第二の映像内容が第一の映像内容と共にはっきりと見られ、或いは、第二の映像内容の一部又は全部が隠れて第一の映像内容を遮蔽しない。なお、各パラメータ値の選択と設定順序、パラメータの種類とパラメータの数量は、これらに限らなく、実際の応用と需要に応じて変更しても良く、且つ、設定されたパラメータの種類とパラメータのオプションの数量に基づいて、対応する所定の値（予め設定された値）または埋め込みプログラムを提供しても良い。
【００１６】
続いて、図４を参照する。図４は、本発明による、映像表示の制御が可能な表示装置の一実施例を示すものである。図に示すように、この実施例において、表示装置４は、オンスクリーンディスプレイ４０を有し、オンスクリーンディスプレイ４０は、一般的な表示装置のパラメータ調整のオプション４１を有する他に、使用者が再生まち映像の表示方式を設定するための映像表示制御のオプション４２も提供する。再生映像は、第一の映像内容と第二の映像内容の組合せであり、第一の映像内容は、例えば、動的な映像又は静的な画像であり、第二の映像内容は、例えば、字幕、スライドショー、テキストティッカー、動的な映像又は静的な画像であり、その数量と種類は、１個または１種類に限らない。また、この実施例において、オンスクリーンディスプレイ４０は、設定待ちの関連パラメータを含んでも良く、このような設定待ちの関連パラメータは、例えば、表示画面の分割タイプの設定４２１、各分割画面の内容ソースの設定４２２、第一の映像内容の表示位置の設定４２３、第二の映像内容の表示位置の設定４２４、第二の映像コンテンツの入力端の設定４２５及び第二の映像内容の表示特殊効果の切り替えの設定４２６のうち一部または全部からなる。使用者は、オンスクリーンディスプレイ４０の同一の表示画面で設定待ちの関連パラメータを選択しパラメータ値を入力してもよく、また、図４に示す実施例のように、オンスクリーンディスプレイ４０で、設定待ちの関連パラメータの次のページに表示される入力画面または区域を表示しパラメータ値を入力してもよいが、何れもオンスクリーンディスプレイ４０の設計により定まる。
【００１７】
続いて、さらに説明する。表示画面の分割タイプがＰＩＰ、ＰＢＰまたはＰＯＰなどであっても良く、且つ、第一の映像内容と第二の映像内容のソースが設定されることができるので、表示画面の分割タイプの設定４２１と各分割画面の内容のソースの設定４２２を選択し且つパラメータ値を設定した後に、第一の映像内容と第二の映像内容がどの分割画面に表示されるかを決めることができる。また、第一の映像内容の表示位置の設定４２３と第二の映像内容の表示位置の設定４２４を選択することにより、各映像内容の属する分割画面が表示装置における位置配置と表示サイズを決定することができる。例えば、この実施例において、第二の映像内容の表示位置の設定４２４を選択した後に、オンスクリーンディスプレイ４０にパラメータ値のオプション（ここでは、使用者がプルダウンメニューによりパラメータ値を選択する）が表われる。これらのパラメータ値は、例えば、垂直方向に沿って区分される頂部区域４３１、中の上部区域４３２、中の下部区域４３３或いは底部区域４３４などのパラメータ値、前記区域４３１と４３４の中の高さ（即ち、予定の表示区域の高さに文字または映像内容が占める割合）などのパラメータ値、例えば、頂部区域全体の高さのオプション４３１１、頂部区域の一部の高さのオプション４３１２、中の上部区域全体の高さのオプション４３２１、中の下部区域の一部の高さのオプション４３２２、中の下部区域全体の高さのオプション４３３１、中の下部区域の一部の高さのオプション４３３２、底部区域全体の高さのオプション４３４１及び底部区域の一部の高さのオプション４３４２などのパラメータ値、及び、水平方向に沿って区分される左側区域４３５と右側区域４３６などのパラメータ値であっても良い。また、第二の映像内容の入力端の設定４２５は、第二の映像内容の入力端をＶＧＡ、ＤＶＩまたはＨＤＭＩのうち一つに設定するために用いられ、第二の映像内容の表示特殊効果の切り替え設定４２６は、二つの映像内容の表示を切り替えるか、ページ換えの特殊効果の方式及び表示の透明度などに関するパラメータを設定するために用いられる。
【００１８】
また、図５を参照する。図５は、前記実施例において第二の映像内容の表示位置の設定４２４のパラメータ値が設定された後の第二の映像内容の表示位置を示す図である。説明を便利にするために、図４の一部の内容を抜き出して図５に引用する。そのうち、各パラメータ値４３１、４３１１ないし４３６が選択された後に、頂部区域４３１、頂部区域全体の高さのオプション４３１１、頂部区域の一部の高さのオプション４３１２、中の上部区域４３２、中の上部区域全体の高さのオプション４３２１及び中の上部区域の一部の高さのオプション４３２２を例とすれば、頂部区域４３１と中の上部区域４３２は、表示される画面内容の位置が頂部と中の上部に位置することをそれぞれ設定するために用いられるが、画面内容の高さを指定しない（即ち、予め設定された割合は、１倍である）。頂部区域全体の高さのオプション４３１１は、表示される画面内容の高さが頂部領域４３１と同じであることを設定するために用いられる。中の上部区域全体の高さのオプション４３２１は、表示される画面内容の高さが中の上部４３２と同じであることを設定するために用いられる。頂部区域の一部の高さのオプション４３１２は、表示される画面内容の高さが頂部区域４３１の高さに対する割合を設定するために用いられる。中の上部区域の一部の高さのオプション４３２２は、表示される画面内容の高さが中の上部区域４３２の高さに対する割合、例えば、３／４倍または１／２倍（この割合は、これらの値に限らなく、実際に応じて定まっても良い）を設定するために用いられる。よって、頂部区域４３１と頂部区域全体の高さのオプション４３１１のうち一つが選択されるときに、対応する画面の表示状態は、図５に示す第一の表示装置４の中の特別に表示されるブロックの位置と高さにより示される。頂部区域の一部の高さのオプション４３１２が選択される時に、対応する画面の表示状態は、図５に示す第二の表示装置４の中の特別に表示されるブロックの位置と高さにより示される。中の上部区域４３２と中の上部区域全体の高さのオプション４３２１のうち一つが選択されるときに、対応する画面の表示状態は、図５に示す第三の表示装置４の中の特別に表示されるブロックの位置と高さにより示される。中の上部区域の高さのオプション４３２２が選択される時に、対応する画面の表示状態は、図５に示す第四の表示装置４の中の特別に表示されるブロックの位置と高さにより示される。また、他のアドバンスオプションとそれに対応する画面の表示状態も類似する。
【００１９】
また、本発明の実施例は、コンピュータ読出可能な記憶媒体を提供し、そのうち、記憶される映像表示の制御画面のソフトウェアは、表示装置にインストールされて再生映像の表示制御を行う。再生映像は、第一の映像内容と第二の映像内容の組合せであり、且つ、映像表示の制御画面のソフトウェアは、オンスクリーンメニューを含み、このオンスクリーンメニューは、選択されるための映像表示制御のオプションを提供し、且つ、前記映像表示制御のオプションに対応するパラメータ値の設定欄を有し、これにより、第一の映像内容と第二の映像内容を調整することができる。なお、パラメータ値の設定欄は、オンスクリーンメニューの次のページに表示されて入力を行うために用いられても良く、且つ、パラメータ値の設定欄は、表示画面の分割タイプの設定、各分割画面の映像ソースの設定、第一の映像内容の表示位置の設定、第二の映像内容の表示位置の設定、第二の映像内容の入力端の設定及び第二の映像内容の表示特殊効果の切り替え設定などのうち一部または全部のパラメータを含んでも良く、また、各パラメータ及びパラメータ値の定義と応用について、その内容と実施方式は、前記各実施例の関連する記載を参照し、更なる理解を得ることもできる。
【００２０】
故に、本発明の前記実施例は、表示装置のオンスクリーンディスプレイにより映像表示の制御パラメータのオプションを直接設定する構造を採用するので、従来技術のような、広告の特殊効果を達成するために外部媒体・サーバシステムとデジタル電子看板箱を使用することによるハードウェアのコスト、ハードウェアと表示装置との間に必要なソフトウェアのコスト、及び、システム操作者の訓練とシステム管理者の雇用などによる人事コストを無くすことができ、また、表示装置で表示方式を直接操作と設定することにより、間接且つ遠隔の操作を採用する従来の方法に潜在している機動性不良及びリアルタイム応答性不良という問題を改善することができるのみならず、使用者または小さな広告代理店にリアルタイム且つ直観的操作経験と商業利益を持たせることもできる。
【００２１】
本発明が前述した好適な実施例に基づいて以上のように開示されたが、前述した好適な実施例は、本発明を限定するためのものでなく、当業者は、本発明の精神と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の部分と発明の名称は、特許文献の検索を助けるためのみのものであり、本発明の権利範囲を限定するものでない。
【図面の簡単な説明】
【００２２】
【図１】従来の電子広告表示システムの一実施例を示す図である。
【図２】従来の表示装置のオンスクリーンディスプレイの一実施例を示す図である。
【図３】本発明の映像表示制御方法の一実施例におけるステップのフローチャート図である。
【図４】本発明による映像表示の制御が可能な表示装置の一実施例を示す図である。
【図５】本発明による映像表示の制御が可能な表示装置の一実施例における第二の映像内容の表示位置を示す図である。
【符号の説明】
【００２３】
１１  ユーザ端コンピュータ
１２  サーバ端コンピュータ
１２  デジタル電子看板箱
１４１、１４２、２、４  表示装置
１５  管理ソフトウェアの画面
１５１  広告内容のソース
１５２  広告内容の表示特殊効果
１５３  文字のフォント
１５４  文字のサイズ
１６１  映像内容
１６２  注釈文字の内容
２０、４０  オンスクリーンディスプレイ
２１１  輝度調整のオプション
２１２  コントラスト調整のオプション
２１３  スクリーン調整のオプション
２１４  ＯＳＤ調製のオプション
２１５  他の調整のオプション
２２１  ＯＳＤ水平位置調整のオプション
２２２  ＯＳＤ垂直位置調整のオプション
２２３  ＯＳＤ言語設定のオプション
Ｓ３０〜Ｓ３４  本発明による映像表示制御方法の一実施例における各ステップ
４１  表示装置のパラメータ調整のオプション
４２  映像表示制御のオプション
４２１  表示画面の分割タイプの設定
４２２  各分割画面の内容のソースの設定
４２３  第一の映像内容の表示位置の設定
４２４  第二の映像内容の表示位置の設定
４２５  第二の映像内容の入力端の設定
４２６  第二の映像内容の表示特殊効果の切り替え設定
４３１  頂部区域
４３１１  頂部区域全体の高さのオプション
４３１２  頂部区域の一部の高さのオプション
４３２  中の上部区域
４３２１  中の上部区域全体の高さのオプション
４３２２  中の上部区域の一部の高さのオプション
４３３  中の下部区域
４３３１  中の下部区域全体の高さのオプション
４３３２  中の下部区域の一部の高さのオプション
４３４  底部区域
４３４１  底部区域全体の高さのオプション
４３４２  底部区域の一部の高さのオプション
４３５  左側区域
４３６  右側区域
【図１】
2009053664.tif 000003
【図２】
2009053664.tif 000004
【図３】
2009053664.tif 000005
【図４】
2009053664.tif 000006
【図５】
2009053664.tif 000007